(57)【要約】【課題】通信経路選択機能付き端末装置の機能である通信経路監視を回線種別及び障害状態により設定可能にする機能を提供することで不必要な回線コストを抑える。【解決手段】端末装置１と端末装置２との間は、ルータ３とルータ４との間を定量制料金であるＬＡＮ等の専用線網７、ルータ３とルータ４との間を従量制課金であるダイヤルアップ回線網８を介して接続され、端末装置１は監視ルータ選択テーブルを実装する。端末装置１は、端末装置２と専用線網７経由で通信中のとき、監視ルータ選択テーブルにより、周期的にルータ３、ルータ４及びルータ５を監視している。ルータ３またはルータ４で障害が発生した場合、端末装置２との通信をダイヤルアップ回線網８経由に変更し、監視ルータテーブルにより、ルータ３、ルータ４及びルータ５、ルータ６を周期的に監視する。ルータ３、ルータ４の障害が解消されると専用線網７経由での通信に再び切り換える。【選択図】  図１
2005026895.tif 000002
【特許請求の範囲】
【請求項１】
専用線網とダイヤルアップ回線網との二種類の回線網のうちどちらか一方を選択する機能を備えた端末装置による経路監視方式において、
前記端末装置は、複数のルータと前記専用線網及び前記ダイヤルアップ回線網を介して相手先端末と接続され、
前記専用線網を介しての通信中は、前記複数のルータのうち前記端末装置と前記専用線網及び前記ダイヤルアップ回線網との間を接続している２個のルータと、前記専用線網と前記相手先端末装置との間を接続しているルータとを監視する手段と、
前記端末装置と前記専用線網との間を接続するルータと、前記専用線網と相手先端末装置との間を接続するルータのうちどちらか一方乃至両方で障害が検出されたとき、前記ダイヤルアップ回線網を介した通信に切り換える手段と、
前記ダイヤルアップ回線網を介しての通信中は、前記複数のルータ全てを監視する手段とを有することを特徴とする通信経路監視方式。
【発明の詳細な説明】
【０００１】
【発明の属する技術分野】
本発明は、ＩＰネットワークに接続される端末装置に関し、あらかじめ通信経路監視を行う機能を備えた端末装置に関する。
【０００２】
【従来の技術】
従来、このような通信経路を選択するする方式として、特許文献１に示されるような通信経路指定方式がある。この通信経路指定方式は、端末装置が通信を行う場合、ネットワーク上に隣接するゲートウェイ装置に無条件にデータを送信する。通信経路の状態はゲートウェイ装置が把握し、通信経路の選択を前記ゲートウェイ装置によって行われている。
【０００３】
【特許文献１】
特開平１１−３４１０４２号公報
【０００４】
【発明が解決しようとする課題】
上述した従来の方法では、第１に端末が通信経路状態確認のために行うダイヤルアップ回線側のリモートルータに対する状態確認を行うという問題点がある。
その理由は、従来の端末装置が経路情報確認を行う場合に回線の種別について何も考慮していないためである。  そのため、従来の端末装置はダイヤルアップ回線側のリモートルータに状態確認を行うたびに通信コストが発生することになる。
【０００５】
更に、第２の問題点として、通信経路選択機能や通信経路の状態監視機能を備えたルータを使用した場合、ネットワーク構築時のコストが増加し、コンフィグ設定時に難度も上がるといて点がある。その理由は、上記機能を備えたルータ装置は高額であり、ネットワーク構築に関するコストが高くなるためである。
そこで本発明の目的は、通信経路選択機能付き端末装置の機能である通信経路監視を回線種別及び障害状態により設定可能にする機能を提供することで不必要な回線コストを抑えることにある。
【０００６】
【課題を解決するための手段】
上記課題を解決するために、本発明の通信経路選択機能付き端末装置による通信経路監視方式は、専用線網とダイヤルアップ回線網との二種類の回線網のうちどちらか一方を選択する機能を備えた端末装置による経路監視方式において、前記端末装置は、複数のルータと前記専用線網及び前記ダイヤルアップ回線網を介して相手先端末と接続され、前記専用線網を介しての通信中は、前記複数のルータのうち前記端末装置と前記専用線網及び前記ダイヤルアップ回線網との間を接続している２個のルータと、前記専用線網と前記相手先端末装置との間を接続しているルータとを監視する手段と、前記端末装置と前記専用線網との間を接続するルータと、前記専用線網と相手先端末装置との間を接続するルータのうちどちらか一方乃至両方で障害が検出されたとき、前記ダイヤルアップ回線網を介した通信に切り換える手段と、前記ダイヤルアップ回線網を介しての通信中は、前記複数のルータ全てを監視する手段とを有することを特徴とする。
【０００７】
【発明の実施の形態】
以下に、本発明の実施の形態について図面を参照して詳細に説明する。
図１は本発明の全体的なネットワーク構成を示したブロック図である。図１を参照すると、端末装置１と端末装置２との間は、ルータ３とルータ４との間を定量制料金であるＬＡＮ等の専用線網７、ルータ３とルータ４との間を従量制課金であるダイヤルアップ回線網８を介して接続されている。また、端末装置１は図２に示される監視ルータ選択テーブルを実装する。
次に、図１、図２、及び端末装置１の端末装置２との通信接続処理手順を示したフローチャートである図３を参照しながら本実施形態の全体の動作について詳細に説明する。
まず、端末装置１は、端末装置２と専用線網７経由で通信接続を行う（Ｓ３０１）。端末装置１は、専用線網７経由で端末装置２と通信中、図２の監視ルータ選択テーブルに基いて、周期的にルータ３、ルータ４及びルータ５にｐｉｎｇを送信して監視を行う（Ｓ３０２）。このとき、監視する必要性がないルータ４に対してデータの送受信がなされないため、ダイヤルアップ回線の通信コストは発生していない。
端末装置１は、ルータ３またはルータ４で障害を検出したとき（Ｓ３０３）、ルータ５で障害が検出されなければ（Ｓ３０４）、ダイヤルアップ回線網８に通信接続する（Ｓ３０５）。そして、端末装置１は、ダイヤルアップ回線網８に通信接続中、図２の監視ルータ選択テーブルに基き、周期的にｐｉｎｇを送信してルータ３，４，５，６を監視する（Ｓ３０６）。
端末装置１は、ルータ３またはルータ４で障害が検出されなければ、再び専用線網７に通信接続する（Ｓ３０７）。ルータ３またはルータ４で障害が検出され、さらにルータ５またはルータ６で障害が検出された場合は、未接続状態になる（Ｓ３０８，Ｓ３０９）。その後、端末装置１は、図２の監視ルータ選択テーブルに基き、周期的にｐｉｎｇを送信してルータ３，４，５，６の監視を行う（Ｓ３１０）。
このようにして、本発明では、端末装置１によってルータ３，４，５，６を監視することによって、ルータ自体のコスト及び設置コストを下げ、さらにダイヤルアップ回線網のような従量制の課金を行う回線網の使用を可能な限り制限することができる。
【０００８】
【発明の効果】
以上の説明から本発明は、専用線経由での通信中に、通信経路情報監視のためにダイヤルアップ回線を使用しないので、不必要な通信コストが発生しない。
さらに、通信経路選択機能付き端末装置に経路監視方法を備えることにより、ルータを安価な物にすることができ、コストを下げることができる。
【図面の簡単な説明】
【図１】本発明の全体構成を示したブロック図である。
【図２】端末装置１が実装する監視ルータ選択テーブルである。
【図３】端末装置１の端末装置２との接続処理動作を示す図である。
１，２  端末装置
３，４，５，６  ルータ
７  専用線網
８  ダイヤルアップ回線網
【図１】
2005026895.tif 000003
【図２】
2005026895.tif 000004
【図３】
2005026895.tif 000005